(57)【要約】【課題】社員が自席を持たないノンテリトリアル方式のオフィスに対応したワゴンを提供する。【手段】ワゴンは、抽斗３が内蔵された本体１を備えている。本体１の上面を、手前側が高くて後部が低くなる側面視段違い状に形成して、低い部分にクッション材を張って座部９と成す。凸部８の背面は傾斜させてクッション材を張ることによって背部１０と成す。凸部８の内部は副収納部１４となっており、これを開閉自在な蓋１５で塞いでいる。ワゴンを個人の専用品とすることにより、私物の管理や保管が楽になると共に組織への帰属意識が高まる。椅子は不要であり、かつ、ワゴンは不使用時には邪魔にならない場所に移動させておけるため、スペースを有効利用できる。【選択図】  図１
2005046251.tif 000002
【特許請求の範囲】
【請求項１】
抽斗式等の収納部とキャスターとを備えている本体の上面の一部又は全体を、人が腰掛けることのできる座部となしている、
椅子機能付きワゴン。
【請求項２】
前記座部にクッション材や布のような座材を張っている、
請求項１に記載した椅子機能付きワゴン。
【請求項３】
前記本体内には前後動自在な抽斗が適宜段数内蔵されており、本体の上面を、手前側が高くて奥側が低くなるように側面視で段違い状に形成することにより、本体の上面に手前側にずれた上向き凸部を設け、本体の上面のうち低い部分をクッション材が張られた座部となし、更に、凸部の背面部をクッション材が張られた背部と成している、
請求項１又は請求項２に記載した椅子機能付きワゴン。
【請求項４】
前記本体のうち座部の下方の部分は抽斗が内蔵された主収納部と成し、本体の凸部は少なくとも上向きに開口した副収納部と成しており、この副収納部には、跳ね上げ回動自在な蓋を設けている、
請求項３に記載した椅子機能付きワゴン。
【発明の詳細な説明】
【０００１】
【発明の属する技術分野】
本発明は、椅子機能付きワゴンに関するものである。
【０００２】
【従来の技術】
オフィスにおいてキャスター付きのワゴンが多用されている。このワゴンは、一般に机とセットで使用されることが多く、机天板の下方に入り込ませた状態で使用したり、机と同じ高さに設定して脇机として使用したりしている。
【０００３】
【発明が解決しようとする課題】
ところで、近年のオフィスではワーキングスタイルが多彩になっているが、その一つに、ノンテリトリアル（又はフリーアドレス）というオフィス使用態様が見られる。すなわちこれは、各人が専用の机を持つのではなくて、各人で共用される机を設置して出社したら空いている席を使用して簡単な作業やミーティングなどを行うというもので、例えば外回りが主である営業部門で多く見られる。
【０００４】
このノンテリトリアル式のオフィスは、スペース及び家具類の有効利用を目的としたものであり、通常の机（平机）を設置し、これに人数分の椅子が間隔を詰めた状態で配置されていたり、或いは、一つの机と一つの椅子より成る席を人数分よりも少ない数だけ設置していたりしている。いずれにしても、従来のノンテリトリアル方式の使用態様では、オフィスには各個人に専用の家具は存在していない。
【０００５】
さて、例えばノンテリトリアル方式の働く営業マンといえども、社内に残しておきたい物品（例えば仕事関係の私物や、外回りとは関係ない社内専用のファイルなど）があるのが普通である。しかし、従来のノンテリトリアル式オフィスは、人が一時的に使用できるスペースがあるに過ぎないため、そのような物品の置き場所がなくて困ることがあった。
【０００６】
また、人は自らの居場所が社内に確保されていると安心するもので、組織への帰属を外面的に確認できることによって仕事の能率が高まったりチーワワークがうまくいったりするものである。しかし、従来のノンテリトリアル方式は効率だけを追求して、社員のメンタルな部分への配慮は不十分であったと言える。
【０００７】
本発明は、このようなオフィスにおけるノンテリトリアル化現象に対応するのに好適な家具を提供することを課題とするものである。
【０００８】
【課題を解決するための手段】
従来のオフィス家具は、一般に単一の機能しか備えていない。このため、個人がオフィスで専用のテトリトリーを持つには専用の机を設置しなければならず、これがスペースの有効利用というノンテリトリアルの目的と相反するため、オフィスには個人専用のテリトリーを確保できないのであった。そこで本願発明者たちは、オフィスで多用されているワゴンに着目し、本願発明を完成させるに至った。
【０００９】
すなわち請求項１の発明は、抽斗式等の収納部とキャスターとを備えている本体の上面の一部又は全体を、人が腰掛けることのできる座部となしている。この場合、座部であることを使用者に視認せしめて違和感を無くすため、請求項２のように、座部にクッション材や布のような座材を張るのが好ましい。なお、座材としては合板などの硬質材も採用できる。
【００１０】
請求項３の発明は、請求項１又は請求項２において、前記本体内には前後動自在な抽斗が適宜段数内蔵されており、本体の上面を、手前側が高くて奥側が低くなるように側面視で段違い状に形成することにより、本体の上面に手前側にずれた上向き凸部を設け、本体の上面のうち低い部分をクッション材が張られた座部となし、更に、凸部の背面部をクッション材が張られた背部と成している。
【００１１】
請求項４の発明は、請求項３において、前記本体のうち座部の下方の部分は抽斗が内蔵された主収納部と成し、本体の凸部は少なくとも上向きに開口した副収納部と成しており、この副収納部には、跳ね上げ回動自在な蓋を設けている。
【００１２】
【発明の作用・効果】
本願発明のワゴンは、例えば、ノンテリトリアル方式のオフィスで使用するにおいて、個人の専用とすることができる。すなわち、特定のワゴンを特定の人の専用品として（テリトリーとして）、私物等を収納することができる。そして、人はワゴンに腰掛けることができるため、従来のようなテリトリーとしての机と椅子とのセットを用意する必要はない。
【００１３】
また、ワゴンは移動自在であるため、不使用時には邪魔にならない場所（例えばテーブルの内部空間）に設置しておいて必要に応じて移動させて使用することができ、このため、スペースの有効利用と使用者の利便との両方を確保することができる。
【００１４】
また、ノンテリトリアル方式のオフィスに使用すると、各人のテリトリーとしてのワゴンが存在することにより、私物等の物品の保管や管理が便利であるのみならず、組織への帰属意識を高めて個人の能力を引き出すことも可能になる。
【００１５】
なお、本願発明のワゴンはノンテリトリアル方式のオフィスのみならず、様々の用途に使用できる。いずれにしても、従来のようにワゴンと椅子とを併設する必要はないため、スペースを有効利用することができる。
【００１６】
請求項３のように構成すると、背もたれ部の存在によって外面的に椅子により近いイメージとなるため、使用者の違和感を無くすことができる。
【００１７】
請求項４のように構成すると、ワゴンの本体の内部空間を有効利用して収容能力をアップできるのみならず、座部に腰掛けたままで副収納部内に物品を出し入れすることも可能となるため、使い勝手を向上できる利点がある。
【００１８】
【発明の実施形態】
次に、本願発明の実施形態を図面に基づいて説明する。
【００１９】
（１）．第１実施形態（図１〜図６）
図１〜図６では第１実施形態を示している。このうち図１〜図３でワゴンの構造を示している。図１（Ａ）は手前から見た斜視図、（Ｂ）は下部の正面図、図２は右側面図、図３は上部の一部破断側面図である。
【００２０】
（ａ）．全体構成
ワゴンはスチール製等の本体１を備えている。本体１は、前向きに開口した主収納部２を備えており、この主収納部２に上下２段（３段以上又は１段でもよい）の抽斗３を前後動自在に装架している。上段の抽斗３と錠４でロックすることができる。
【００２１】
本体１の下面には、大径の後部キャスター５と小径の前部キャスター６とを取り付けている。このため押し引きして簡単に移動させることができる。後部キャスター５を大径すると、安定性が高まと共に、移動させる場合に段差や溝があっても落ち込み現象を無くしてスムースに移動させることができる利点である。
【００２２】
もちろん後部キャスター５も通常のワゴンと同径にしたり、逆に、前部キャスター６を大径に設定したりしても良い（ワゴンは後ろ向きの状態で移動させるので、少なくも後部キャスター５を大径に設定するだけで、スムースに移動させることができる）。また、後部キャスター６は本体１の外側にはみ出ているが、本体１からはみ出ない状態に設けてもよい。下段の抽斗３の前部には転倒防止用キャスター７を取り付けている。
【００２３】
本体１における主収納部２の上面には、上向きの凸部８が手前側にずれた状態で設けられており、このため、本体１の上面は手前側が高くて奥側が低い段違い状になっている。そして、低い部分にクッション材を張って座部９となし、かつ、凸部８の背面にもクッション材を張って背部１０となしている。背部１０は座部９との角度が広角となるように側面視で前傾している。
【００２４】
本体１における主収納部２を構成する上かまち１１には、ネームプレート収納部１２を設けている。ネームプレート収納部１２には、ネームプレート１３を上方から又は側方から抜き差しすることができる。
【００２５】
（ｂ）．凸部の構造
凸部８の内部は、左右を側板８ａで画定され後部は背板８ｂで画定されて手前側及び上方に開口した副収納部１４になっており、副収納部１４は、側面視略Ｌ字状の蓋１５で開閉自在に塞がれている。蓋１５の後部は背板８ｂに蝶番１６で取り付けられており、図３に示すよう、蓋１５を後方に跳ね上げることによって副収納部１４を大きく開口させることがてきる。
【００２６】
副収納部１４には、図３で一点鎖線で示すように、ペン等の小物を収納できる浅いトレー１７を装架しても良い。トレー１７は、固定式でも良いし着脱式でも良い。蓋１５とトレー１７とを、蓋１５を開くとトレー１７が手前側に移動するようにリンク機構で連動させることも可能である。
【００２７】
副収納部１４は一般的なノート型パソコン１８を格納できる平面積に設定している。トレー１７を設ける場合、収納したノート型パソコン１８と干渉しない高さに（上部）設定するのが好ましい。
【００２８】
凸部８の側板８ａは例えば厚板状に形成されており、その手前側でかつ上部に、人が指先を掛けることのできる凹み１９を形成している。左右側板８ａの凹み１９に指を掛けることにより、ワゴンを容易に押し引きすることができる。
【００２９】
また、凸部８の側板８ａの表面層をコルク質やゴム質等の軟質材で構成することにより、押しピン２０を突き刺しできるようにすることも可能である（すなわち、ピンナップ性を持たせる）。これにより、凸部８の側面にメモ等の紙類２１を止めることができて便利である。もちろん、ピンナップ性を持たせなくてもよい。本体１の側面の全体をピンナップ性のあるボードで構成したり、木製やクロス張り等の化粧側板を張ったりすることも可能である。
【００３０】
なお、副収納部１４は、前板を設けることによって上方のみに開口した形態にしても良いし、蓋１５は手前側に向けて跳ね上げ回動する構成としたり、左右いずれかの側に跳ね上げ回動する構成としたり、或いは着脱式としたりすることも可能である。蓋１５を設けずに副収納部１４を開口したままの状態にすることも可能であり、更に、副収納部１４に抽斗を設けることも可能である。
【００３１】
（ｃ）．使用例
図４及び図５ではワゴンの使用例を示している。図４に示す例では、カウンター状のテーブル２２とセットで使用している。（Ａ）は平面図、（Ｂ）は側面図である。不使用時にはテーブル２２の下方の空間に収容しておき、使用時には手前に引き出す。座部９に腰掛けて、例えばパソコン１８の操作等の各種の作業を行える。
【００３２】
図５に示す例では、大テーブル２３とセットで使用しており、不使用時には、テーブル２３の内部空間に多数のワゴンを詰めた状態で格納しておき、使用時には外側に引き出す。
【００３３】
これらの例から理解できるように、不使用時にはテーブル２３の内部空間等のデッドスペースに収納しておくことができ、しかも、椅子として使用できるため、別途椅子を置く必要はなく、オフィスをすっきりとできる。
【００３４】
ワゴンを特定人の専用とする場合はネームプレートに使用者名を表示できるため、他人のものと間違うことがない。また、錠４が付いているため、プライバシーの保護も確保できる。
【００３５】
ワゴンの使用態様はユーザーが自由に選択できる。例えば、不使用時には部屋の片隅に移動させておいて、必要に応じて使用箇所に移動させたり、或いは、一々移動させ使用するのではなく、多数の椅子を環状に配置した状態を保持しておいてミーティングに供するなどすることも可能である。もちろん、特定人の専用とせずに任意の人が使用できるようにしても良い。
【００３６】
なお、本実施形態のように背部１０を傾斜させると、より椅子らしい外観になるためより好ましいと言える。
【００３７】
（２）．第２実施形態（図６）
図６では第２実施形態を示している。この実施形態では、ワゴンは通常の机２４の高さと略同じ高さに設定している。このため本体１には３段の抽斗３を設けている。
【００３８】
この実施形態では、ワゴンは、座部９だけが机２４の内部に隠れて凸部８は露出するように設置しており、このため、ワゴンの凸部８が机２４の補助天板として機能している。
【００３９】
この実施形態では、ワゴンには把手２５を設けている。把手２５は、一点鎖線で示すように上向きに引き上げた状態と、実線で示すように僅かに露出した押し込み状態とに自在に変更できるようになっている。このように把手２５を設けると移動させるに際して楽である。
【００４０】
（３）．第３実施形態（図７）
図７に示す第３実施形態では、一つのワゴンに２つの抽斗３の群や座部９の群を２連の状態で設けている。この例から理解できるように、１台のワゴンを複数人が同時に使用できる多連式としても良いのである。
【００４１】
一点鎖線で示すように、抽斗３を左右外側に引き出す方式にすることも可能である。また、主収納部に抽斗を設けずに、前向き又は横向きに開口したオープン方式とすることも可能である。
【００４２】
（４）．第４実施形態（図８）
図８に示す第４実施形態では、本体１の上面を段違い状に形成して、低い部分に座体９′を設けた場合において、背もたれ１０′を座体９′に対して起倒するように回動自在に構成し、更に、背もたれ１０′と座体９′とを、リンク機構により、背もたれ１０′を起こすと座体９′がある程度の寸法だけ前進するように連動させている。このため座り心地が良い。
【００４３】
（５）．その他
本発明は上記の実施形態の他にも様々に具体化することができる。例えばワゴンの本体の上面に必ずしも段違い状に形成する必要はなく、フラットな状態に形成してこれにクッション材を張るなどしても良い。また、本体の上面に座部と背部のみを設けて、副収納部を設けない構成とすることも可能である。
【図面の簡単な説明】
【図１】第１実施形態を示す図で、  （Ａ）は手前から見た斜視図、  （Ｂ）は下部の正面図である。
【図２】右側面図である。
【図３】上部の一部破断側面図である。
【図４】使用態様の一例を示す図である。
【図５】使用態様の一例を示す図である。
【図６】第２実施形態を示す図である。
【図７】第３実施形態を示す図である。
【図８】第４実施形態を示す図である。
【符号の説明】
１  本体
２  主収納部
３  抽斗
５，６  キャスター
８  凸部
９  座部
１０  背部
１４  副収納部
１５  蓋（カバー）
【図１】
2005046251.tif 000003
【図２】
2005046251.tif 000004
【図３】
2005046251.tif 000005
【図４】
2005046251.tif 000006
【図５】
2005046251.tif 000007
【図６】
2005046251.tif 000008
【図７】
2005046251.tif 000009
【図８】
2005046251.tif 000010